(57)【特許請求の範囲】
【請求項１】
第１片部と、
前記第１片部に対して開閉可能で第１片部上に互いに対向して配置された二つの第２片部とからなり、
前記第２片部にディスクの外周部に係止する切り欠きや切れ線が形成されて第１片部と第２片部によりディスクを保持するディスク保持部が形成されたディスク収納体であって、
前記二つの第２片部のうちの一方の先端には、他方の第２片部上に取着される取着部と、この取着部を前記一方の第２片部の先端から切り取る切り取り線とが形成されている、
ことを特徴とするディスク収納体。
【請求項２】
第１片部と、
前記第１片部に対して開閉可能で第１片部上に互いに対向して配置された二つの第２片部とからなり、
前記第２片部にＣＤの外周部に係止する切り欠きや切れ線が形成されて第１片部と第２片部によりＣＤを保持するＣＤ保持部が形成されたディスク収納体であって、
前記二つの第２片部のうちの一方の先端には、前記ＣＤ保持部にＣＤを保持させた状態でＣＤの中央の非記録面に対応した輪郭の載置部が切り取り線を介して形成され、
前記載置部は切り取り線から切り取られ第１片部に取着される、
ことを特徴とするディスク収納体。
【請求項３】
前記二つの第２片部のうちの他方の開閉片の先端には、前記載置部に対応した輪郭の欠部が形成されている請求項２記載のディスク収納体。
【発明の詳細な説明】
【０００１】
【発明の属する技術分野】
本発明はコンパクトディスク（ＣＤ）やフレキシブルディスク（ＦＤ）、ＣＤーＲＯＭ、ＣＤーＩ等のような記録媒体であるディスクを収納するディスク収納体に関する。
【０００２】
【従来の技術】
ＣＤやＦＤ等のような記録媒体であるディスクは、カタログやパンフレットと共に配布され、或いは、ＣＤブックやＦＤブックとして市場に流通されており、近年、簡易な形態で取り扱われつつある。
一方、このようなディスクを収納するものとして、ディスクが挿入される本体と、この本体に開閉可能に連結された蓋とからなるプラスチック製のケースが依然として用いられている。
【０００３】
【発明が解決しようとする課題】
従って、上述のように使用の形態が簡易化されているにも拘らず、従来のプラスチックケースでは、大量に取り扱う際にかさばって取り扱いが面倒で、また、プラスチックを用いるため、コスト高となる不具合があった。
また、カタログやパンフレット等と共にＣＤやＦＤを配布するような場合、カタログやパンフレットが紙であるのに対して、ＣＤのケースはプラスチックであるため、ＣＤやＦＤの方のみが目立ってしまい、カタログやパンフレットとの一体感を出すことができない不具合があった。
更に、ＣＤ本やＦＤ本として、本の表紙や本文頁にＣＤやＦＤを添付するような場合、プラスチックケースでは本がかさばる他、プラスチックは紙に比べて比重も大きく、そのため、本の重量が増し、大量に取り扱う際には、簡単に取り扱うことができない不具合もあった。
【０００４】
本発明は前記事情に鑑み案出されたもので、本発明の目的は、かさばることなく安価にＣＤやＦＤ等のディスクを収納でき、カタログやパンフレット等と共に一体感を持たせてディスクを配布でき、ディスクを本に添付する場合であっても重量増を抑え、大量に扱う場合であっても簡単に取り扱うことができるディスク収納体を提供することにある。
【０００５】
【課題を解決するための手段】
前記目的を達成するため、本発明に係るディスク収納体は、第１片部と、前記第１片部に対して開閉可能で第１片部上に互いに対向して配置された二つの第２片部とからなり、前記第２片部にディスクの外周部に係止する切り欠きや切れ線が形成されて第１片部と第２片部によりディスクを保持するディスク保持部が形成されたディスク収納体であって、前記二つの第２片部のうちの一方の先端には、他方の第２片部上に取着される取着部と、この取着部を前記一方の第２片部の先端から切り取る切り取り線とが形成されていることを特徴とする。
【０００６】
また、本発明に係るディスク収納体は、第１片部と、前記第１片部に対して開閉可能で第１片部上に互いに対向して配置された二つの第２片部とからなり、前記第２片部にＣＤの外周部に係止する切り欠きや切れ線が形成されて第１片部と第２片部によりＣＤを保持するＣＤ保持部が形成されたディスク収納体であって、前記二つの第２片部のうちの一方の先端には、前記ＣＤ保持部にＣＤを保持させた状態でＣＤの中央の非記録面に対応した輪郭の載置部が切り取り線を介して形成され、前記載置部は切り取り線から切り取られ第１片部に取着されることを特徴とする。
また、本発明に係るディスク収納体は、前記二つの第２片部のうちの他方の開閉片の先端には、前記載置部に対応した輪郭の欠部が形成されていることを特徴とする。
【０００７】
本発明によるディスク収納体によれば、ディスクを収納するのに必要な最小限の厚さに設定でき、従って、大量に取り扱う際に取り扱いが簡単になされ、また、紙で構成できるのでコストダウンを図ることが可能となり、更に、ＣＤやＦＤ本として、本の表紙や本文頁にＣＤやＦＤを添付するような場合も、かさばらず、本全体の重量を軽減する上で有利となる。
また、ディスク収納体を紙で構成できるので、カタログやパンフレット等と共にＣＤやＦＤを配布するような場合、従来のプラスチックケースのようにＣＤやＦＤのみが目立つことが防止され、カタログやパンフレットとの一体感を出す上で有利となる。
【０００８】
【発明の実施の形態】
以下、本発明を添付図面に従って説明する。
図１は参考例１に係るディスク収納体の斜視図、図２は第１表紙と第２表紙を開いた状態の斜視図、図３はディスク収納体を構成する片体の展開図、図４は第２片部と、第１、第２上表紙片を折り畳んだ状態の平面図、図５はＣＤが収納され第１、第２表紙片が開かれた状態の平面図を示す。
参考例１に係るディスク収納体２はＣＤ４を収納するもので、第１片部６と、二つの第２片部８と、第１表紙片１０、第２表紙片１２とで構成されている。
ディスク収納体２は、図３に示す一枚の片体１４からなり、片体１４として、例えば、コート紙や厚紙、プラスチックシート等が用いられる。
片体１４のほぼ中央に第１片部６が位置し、第１片部６の対向する縁部に、言い換えると第１片部６の上下にそれぞれ第２片部８が位置している。
また、第１片部６の他方の対向する縁部に、言い換えると、左右に第１中央表紙片１６（主表紙片に相当）と第２中央表紙片１８（主表紙片に相当）が位置している。
更に、各第１中央表紙片１６と第２中央表紙片１８の上縁部に第１上表紙片２０（副表紙片に相当）と第２上表紙片２２（副表紙片に相当）が位置している。
そして、前記第１表紙片１０は前記第１中央表紙片１６と第１上表紙片２０により構成され、前記第２表紙片１２は前記第２中央表紙片１８と第２上表紙片２２により構成されている。
図３は片体１４の裏側を示し、片体１４の表側には印刷が施されている。
【０００９】
前記第１片部６は、ＣＤ４よりも大きい輪郭の矩形に形成されている。
第１片部６の上下の縁には折れ線２４が設けられ、これら折れ線２４を介して前記第２片部８が第１片部６の上下に連設され、また、第１片部６の左右の縁には折れ線２６、２８が設けられ、これら折れ線２６、２８を介して前記第１中央表紙片１６と第２中央表紙片１８が第１片部６の左右に連設されている。
【００１０】
前記各第２片部８は、前記折れ線２４から連設された基片３０と、基片３０から２本の折れ線３２を介して連設された開閉片３４とで構成され、各第２片部８は同形同大である。
前記各第２片部８は、図５に示すように、第１片部６上の中央にＣＤ４を置き折れ線２４から第１片部６上に、すなわちＣＤ４上に折った状態で開閉片３４の先端が互いに近接する寸法で形成されている。
前記各第２片部８の基片３０には、第１片部６上の中央にＣＤ４を置き折れ線２４から第１片部６上に折った状態でＣＤ４の外周部に対応した大きさの切り欠き３６が形成されている。
詳細には、前記切り欠き３６は、ＣＤ４の外周部がその縁に係止される円弧状の切り欠き３８と、折れ線２４の長手方向中央から帯状に延出する帯状の切り欠き４０とで構成されている。
【００１１】
前記開閉片３４には、前記円弧状の切り欠き３８と連続するように、前記円弧状の切り欠き３８と対称な形状の円弧状の切り欠き４２が形成されている。
また、前記開閉片３４の先端には、第１片部６上の中央にＣＤ４を置き基片３０と開閉片３４を第１片部６上に折った状態で、ＣＤ４の中央孔４０２の周辺の非記録面に対応した形状の半円弧状の切り欠き４４が形成されている。
尚、前記２本の折れ線３２は互いに近接して平行に延在しており、これら２本の折れ線３２の間隔は、開閉片３４が折れ線３２からＣＤ４上に円滑に折られるように、すなわち収納すべきディスク、この実施例ではＣＤ４の厚さに対応させて設定されている。
【００１２】
片体１４の裏側で基片３０部分には糊が塗布され、図４に示すように、基片３０は第１片部６上に貼着される。
これにより、第１片部６上で二つの第２片部８が互いに対向して配置され、各第２片部８は、前記開閉片３４を互いに近づけると共に前記基片３０を互いに離して各基片３０が前記第１片部６に取着されることになり、第１片部６上に第２片部８の印刷面が臨むことになる。
そして、図５に示すように、上下の開閉片３４の下側にＣＤ４を位置させ、ＣＤ４の外周部を基片３０の切り欠き３６に挿入すると、切り欠き３６内にＣＤ４の外周部が露出すると共に、ＣＤ４の外周の上下の縁部が円弧状の切り欠き３８の縁に係止されることになり、この実施例では、第１片部６と、二つの第２片部８と、各第２片部８の切り欠き３６によりＣＤ保持部４６が形成されている。
【００１３】
図３に示すように、第１中央表紙片１６と第１片部６を連設する折れ線２６は２本設けられ、第１上表紙片２０は、第１中央表紙片１６の上縁に折れ線４８を介して連設されている。
第１中央表紙片１６と第１上表紙片２０は共にほぼ同じ大きさの矩形で形成され、片体１４の裏側で第１中央表紙片１６あるいは第１上表紙片２０に糊が塗布され、第１上表紙片２０は折れ線４８から第１中央表紙片１６上に折られて貼着され、これにより第１表紙片１０が構成され、第１表紙片１０の表と裏は共に印刷面が臨むことになる。
前記２本の折れ線２６は、ＣＤ保持部４６にＣＤ４が収納された第１片部６と第２片部８上に第１表紙片１０が円滑に折られるように、ＣＤ４が収納されたＣＤ保持部４６の厚さに対応して設定されている。
また、第１表紙片１０は、ＣＤ４が収納された第１片部６と第２片部８上に折った状態で、第１片部６の上下の縁に第１表紙片１０の上下の縁がほぼ合致する寸法で形成され、かつ、第２表紙片１２が第１表紙片１０上に円滑に折られるように、第１表紙片１０の折れ線２６に対向する縁が第１片部６の対応する縁、すなわち内側の折れ線２８よりも僅かに第１片部６の内側に位置するように設定されている。
【００１４】
第２中央表紙片１８と第２片部８を連設する折れ線２８は２本設けられ、第２上表紙片２２は、第２中央表紙片１８の上縁に折れ線５０を介して連設されている。
第２中央表紙片１８と第２上表紙片２２は共にほぼ同じ大きさの矩形で形成され、片体１４の裏側で第２中央表紙片１８あるいは第２上表紙片２２に糊が塗布され、第２上表紙片２２は折れ線５０から第２中央表紙片１８上に折られて貼着され、これにより第２表紙片１２が構成され、第２表紙片１２の表と裏は共に印刷面が臨むことになる。
前記２本の折れ線２８は、ＣＤ保持部４６にＣＤ４が収納された第２片部８上に第１表紙片１０が折られ、その上に第２表紙片１２が円滑に折られるように、少なくとも、ＣＤ４が収納されたＣＤ保持部４６の厚さに第１表紙片１０の厚さを加えた寸法で設定され、参考例１では、市販のプラスチック製のＣＤ４ケースと同じ厚さに設定されている。
尚、第２表紙片１２は、ＣＤ４が収納された第２片部８上に第１表紙片１０を折った上に、第２表紙片１２を折ると、第１表紙片１０及び第１片部６、第２片部８を覆う大きさで形成されている。
【００１５】
参考例１に係るディスク収納体２は、折れ線２８、２８間の間隔の設定により、ＣＤ４を収納するのに必要の最小限の厚さに設定でき、従って、大量に取り扱う際に取り扱いが簡単になされ、また、紙製であるのでコストダウンを図ることが可能となり、更に、ＣＤ本として、本の表紙や本文頁にＣＤを添付するような場合も、かさばらず、本全体の重量を軽減する上で有利となる。
また、ディスク収納体２は紙等の片体からできているので、カタログやパンフレット等と共にＣＤ４を配布するような場合、従来のプラスチックケースのようにＣＤ４のみが目立つことが防止され、カタログやパンフレットとの一体感を出す上で有利となる。
【００１６】
また、ディスク収納体２は、折れ線２８、２８間の間隔の設定によりディスク収納体２の厚さを任意に設定でき、従って、実施例のように市販のプラスチック製のＣＤケースと同じ厚さに設定することもでき、このように設定することで、店頭において他のプラスチック製のＣＤケースと同様にディスク収納体を陳列でき、また、購入者も、他のプラスチック製のＣＤケースと共にディスク収納体２を収納する上で便利となる。
また、ディスク収納体２によれば、第１表紙片１０と第２表紙片１２を開くと、第２片部８の基片３０の切り欠き３６からＣＤ４の一部が露出し、従って、どのようなＣＤ４かを判別する上と有利となっており、更に、開閉片３４にも切り欠き４２を設けているので、どのようなＣＤ４かを判別する上とより有利となっている。
また、ディスク収納体２によれば、各開閉片３４の先端に半円弧状の切り欠き４４を設けたので、この切り欠き４４に指を掛けることで開閉片３４の開閉がより簡単になされる。
【００１７】
また、ディスク収納体２の使用の形態は任意で、ディスク収納体２をパンフレットやカタログ等と共に配布してもよく、あるいは、従来のプラスチック製のＣＤケースと同様に市場に流通させてもよく、あるいは、本の表紙の裏側や本文頁の間に挿入してもよく任意である。その場合、例えば、透明なフィルムからなる扁平な袋にディスク収納体２を挿入するようにしてもよい。
また、ディスク収納体２では、第１片部６の両側に第１表紙片１０と第２表紙片１２を設けた場合について説明したが、これら第１表紙片１０と第２表紙片１２はどちらか一方、あるいは両方を省略してもよい。
両方を省略した場合もその使用の形態は任意で、前記と同様に、パンフレット等と共に配布してもよく、あるいは、従来のプラスチック製のＣＤ４ケースと同様に市場に流通させてもよく、本の表紙の裏側や本文頁の間に挿入してもよい。
その場合、双方の開閉片３４の先端をテープ等で貼着したり、あるいは、透明なフィルムからなる扁平な袋に挿入すると、その取り扱いがより便利となる。
また、参考例１では、第１片部６と二つの第２片部８が一枚の片体１４で形成されている場合について説明したが、基片３０が第１片体１４部に取着されるので、第１片部６と第２片部８は別の片体で形成されていてもよい。
また、参考例１では、収納すべきディスクがＣＤ４の場合について説明したが、ディスクはＦＤ等のような他のディスクでもよく、収納すべきディスクの形状に対応させて、第１片部６や第２片部８、切り欠き３６等の形状や大きさ、折れ線２６、２８、３２の間隔等が変えられる。
【００１８】
次に、参考例２について説明する。
図６は参考例２に係るディスク収納体を構成する紙片の展開図、図７はＣＤが収納され第１、第２表紙片が開かれた状態の平面図を示す。
参考例２に係るディスク収納体２００について、参考例１と同様な箇所に同一の符号を付して説明する。
図６、図７において２０２は、各第２片部８に形成された切れ線で、この切れ線２０２（窓に相当）の内側に載置片２０４が区画され、ＣＤ４は上下の開閉片３４の下側で載置片２０４の上に載置される。
前記切れ線２０２は、図７に示すように、開閉片３４の先端寄りで、言い換えると載置片２０４に載置されたＣＤ４の中央の非記録面に達し、かつ、折れ線２４と平行に延在する直線部２０２Ａと、直線部２０２Ａの両端から外側に湾曲しつつ折れ線３２に向かって延在する湾曲線部２０２Ｂとで構成されている。尚、基片３０は、参考例１と同様に第１片部６上に貼着され、これにより、第１片部６上で二つの第２片部８が互いに対向して配置され、各第２片部８は、前記開閉片３４を互いに近づけると共に前記基片３０を互いに離して各基片３０が前記第１片部６に取着されることになり、第１片部６上に第２片部８の印刷面が臨むことになる。
参考例２では、切れ線２０２の内側からＣＤ４が露出し、載置片２０４と基片３０の境の部分、すなわち折れ線３２の部分で載置片２０４の両側に位置するＣＤ４の外周の縁部が係止され、この参考例２では第１片部６と、二つの第２片部８と、各第２片部８の切れ線２０２と、載置片２０４によりＣＤ保持部２４６が形成されている。
参考例２によれば、載置片２０４に載置されたＣＤの中央の非記録面近傍に切れ線２０２の一部を位置させたので、図７に示すように、切れ線２０２の内側から露出するＣＤ４の面積が大きくなり、参考例１と同様な作用効果に加え、ＣＤ４の表面をより多く見せる上で有利となっている。
【００１９】
次に、参考例３について説明する。
図８は参考例３に係るディスク収納体の斜視図、図９はディスク収納体を構成する片体の展開図、図１０は第２片部と、第１、第２上表紙片を折り畳んだ状態の平面図、図１１はＣＤが収納され第１、第２表紙片が開かれた状態の平面図を示す。
参考例３に係るディスク収納体３００について、参考例１と同様な箇所に同一の符号を付して説明すると、ディスク収納体３００は、参考例１と同様に、図９に示す一枚の片体３１４からなり、第１片部６と、二つの第２片部８と、第１表紙片１０、第２表紙片１２とで構成されている。
そして、前記第１表紙片１０は前記第１中央表紙片１６と第１上表紙片２０により構成され、前記第２表紙片１２は前記第２中央表紙片１８と第２上表紙片２２により構成され、片体１４の表側には印刷が施されている。
【００２０】
前記各第２片部８は、前記折れ線２４から連設された基片３０と、基片３０から２本の折れ線３２を介して連設された開閉片３４とで構成され、基片３０と開閉片３４にそれぞれ切り欠き３１６、３１８が形成されている。
前記基片３０の切り欠き３１６は、折れ線２４部分から折れ線３２部分に向かうに従ってその左右幅が次第に広がる形状で形成され、切り欠き３１６の寸法は、第１片部６上の中央にＣＤ４を置き折れ線２４から第２片部８を第１片部６上に折った状態でＣＤ４の外周部が切り欠き３１６内に収容される寸法で形成され、切り欠き３１６の折れ線３２部分の寸法は、第１片部６上の中央にＣＤ４を置き折れ線２４から第２片部８を第１片部６上に折った状態でＣＤ４の外周部が、切り欠き３１６の両側の折れ線３２部分に係止する寸法で形成されている。
【００２１】
片体１４の裏側で基片３０部分には糊が塗布され、図１０に示すように、基片３０は第１片部６上に貼着される。
これにより、第１片部６上で二つの第２片部８が互いに対向して配置され、各第２片部８は、前記開閉片３４を互いに近づけると共に前記基片３０を互いに離して各基片３０が前記第１片部６に取着されることになり、第１片部６上に第２片部８の印刷面が臨むことになる。
そして、図１１に示すように、上下の開閉片３４の下側にＣＤ４を位置させると、切り欠き３１６、３１８の内側からＣＤが露出し、切り欠き３１６の両側の折れ線３２部分にＣＤ４の外周の上下の縁部が係止されることになり、この参考例３では、第１片部６と、二つの第２片部８と、各第２片部８の切り欠き３１６、３１８等によりＣＤ保持部３４６が形成されている。
このような参考例３によっても参考例１と同様な作用、効果が得られる。
【００２２】
次に、参考例４について説明する。
図１２は参考例４に係るディスク収納体の斜視図、図１３は第１表紙と第２表紙を開いた状態の斜視図、図１４はディスク収納体を構成する片体の展開図、図１５はＣＤが収納され第１、第２表紙片が開かれた状態の平面図、図１６は第１、第２片部の展開図、図１７は第１、第２表紙片を構成する片体の展開図を示す。
参考例４に係るディスク収納体４００について、参考例１と同様な箇所に同一の符号を付して説明すると、ディスク収納体４００は第１片部６と、二つの第２片部８と、第１表紙片１０と、第２表紙片１２とで構成されている。
【００２３】
前記第１片部６と二つの第２片部８は、図１６に示す一枚の片体４１４で構成され、第１表紙片１０と第２表紙片１２は図１７に示す前記片体４１４とは別の片体４１５で構成され、各片体４１４、４１５の表側には印刷が施されている。
図１６に示すように、前記片体４１４は中央に第１片部６が位置し、その上下に折れ線２４を介して第２片部８がそれぞれ連設されている。
前記折れ線２４は２本ずつ設けられ、これら２本の折れ線２４の間隔は、第２片部８がＣＤ４上に円滑に折られるように、すなわち収納すべきディスク、この参考例４ではＣＤ４の厚さに対応させて設定されている。
図１７に示すように、前記片体４１５は横長状で、その中央に折れ線２６、２８を介して中間部３１５Ａが区画され、折れ線２６、２８の外側にそれぞれ前記第１表紙片１０と第２表紙片１２が連設されている。
【００２４】
そして、図１４、図１５に示すように、第２片部８の延在方向に対して第１表紙片１０と第２表紙片１２が直交する方向に延在するように、第２片部８が取着される面とは反対側の第１片部６の面に前記中間部４１５Ａが貼着されて片体４１４と片体４１５が一体化される。
これにより、第１片部６と、二つの第２片部８と、第１表紙片１０と、第２表紙片１２が参考例１、２、３の片体１４、２１４、３１４と同じような配置関係となる。尚、参考例４では、第１上表紙片２０や第２上表紙片２２を設けておらず、参考例１、２、３の第１中央表紙片１６と第２中央表紙片１８がそのまま第１表紙片１０と第２表紙片１２になっている。
【００２５】
前記第１片部６の二つの第２片部８間の寸法、すなわち、内側の折れ線２４、２４間の寸法はＣＤ４の直径よりも小さい寸法で形成され、外側の折れ線２４の延在方向の中央部分に、折れ線２４に沿って延在する切れ線４０２が形成され、切れ線４０２の両端は内側の折れ線２４側に屈曲され、内側の折れ線２４まで延在し、切れ線４０２に対向する部分２４Ａには内側の折れ線２４が形成されていない。
前記切れ線４０２は、図１５に示すように、第１片部６上の中央にＣＤ４を置いて切れ線４０２からＣＤ４の外周部を露出させ、折れ線２４部分から第２片部８を第１片部６上に折った状態で、ＣＤ４の外周部が切れ線４０２の両側の折れ線２４部分に係止する寸法で形成されている。
尚、第１片部６上の中央にＣＤ４を置いて折れ線２４部分から第２片部８を折り、切れ線４０２からＣＤ４の外周部を露出させ、ＣＤ４の外周部を切れ線４０２の両側の折れ線２４部分に係止させた状態で、図１５に示すように、切れ線４０２が位置する折れ線２４間の前記部分２４ＡはＣＤ４により第１片部６の延長上に位置し、この折れ線２４間の部分２４ＡにＣＤの外周部が載置されることになる。
また、前記中間部４１５Ａの第２片部８間方向における寸法と、内側の折れ線２６、２８間の寸法は、図１５に示すように、それぞれＣＤ４の直径よりも大きく形成され、中間部４１５Ａの外縁がＣＤ保持部４４６に保持されたＣＤの外側に位置するように形成されている。
【００２６】
参考例４では、第１片部６と、二つの第２片部８と、切れ線４０２によりＣＤ保持部４４６が形成され、このような参考例４によっても参考例１と同様な作用、効果が得られる。
尚、参考例４においても、片体４１５を用いずに、第１片部６と二つの第２片部８からなる片体４１４のみでも無論使用可能であり、最小限のＣＤケースとして用いられるような場合好適となる。
【００２７】
次に、本発明の実施例１について説明する。
図１８はディスク収納体を構成する片体の展開図、図１９は第１、第２表紙片が開かれ第２片部が閉じられた状態の平面図を示す。
実施例１に係るディスク収納体５００は請求項１記載の発明に相当し、実施例１は、前記参考例１乃至４の全てに適用可能であり、言い換えると、上述した第１片部６と、第１片部６に対して開閉可能で第１片部６上に互いに対向して配置された二つの第２片部８とからなり、第２片部８に切り欠きや切れ線からなるディスク保持部が形成されたディスク収納体の全てに適用されるもので、その特徴は、簡単な構成により第２片部８を閉じた状態に保持できるようにしたものである。
参考例２に係るディスク収納体２００に本発明を適用した実施例１について説明すると、図１８にその片体５１４を示すように、実施例１に係るディスク収納体５００はディスク収納体２００の一方の第２片部８の先端に、２本の切り取り線５０２を介して取着部５０４を連設したものであり、その他、第２片部８の先端に切り欠き４４を設けていない点以外はディスク収納体２００と同一である。
前記２本の切り取り線５０２は、図１９に示すように、他方の第２片部８を第１片部６上に折り、その上に一方の第２片部８を重ねた状態で、２本の切り取り線５０２の間に他方の第２片部８の先端の縁が位置するように形成され、取着部５０４の位置、大きさは切れ線２０２に重ならないように形成されている。
【００２８】
実施例１では、基片３０を第１片部６上に貼着し、上下の開閉片３４の下側からＣＤ４を載置片２０４の上に載置し、ＣＤ保持部２４６でＣＤ４を保持させた後、上下の開閉片３４を閉じる時に、前記取着部５０４が他方の第２片部８上に貼着され、これにより二つの第２片部８が閉じた状態に保持される。
ＣＤ４を取り出す時には、切り取り線５０２間の部分５０６を剥すと、取着部５０４が他方の第２片部８上に残存するが、双方の第２片部８は開閉可能となり、両第２片部８を開くことでＣＤ４が簡単に取り出される。
実施例１によれば、二つの第２片部８をコストを掛けることなく簡単な構成により閉じた状態に保持でき、また、ＣＤ４の取り出しも簡単になされ、特に、ディスク収納体をより簡単に扱う上で有利となる。
【００２９】
次に、参考例５について説明する。
図２０、図２１はディスク収納体を構成する片体の展開図、図２２は載置部の拡大断面図を示す。
参考例５に係るディスク収納体６００は、実施例１と同様に、上述した第１片部６と、二つの第２片部８とでディスク保持部が形成されたディスク収納体の全てに適用されるもので、その特徴は、簡単な構成によりＣＤ４の記録面の保護を図るようにしたものである。
参考例２に係るディスク収納体２００に適用した参考例５について説明する。
図２０にその片体６１４を示すように、参考例５に係るディスク収納体６００は、ＣＤ保持部６４６で保持されるＣＤ４の中央の非記録面が臨む第１片部６箇所に、非記録面に対応した円状の載置部６０２を形成したものである。
【００３０】
あるいは、図２１にその片体６１４’を示すように、ＣＤ保持部６４６で保持されるＣＤ４の外周部の非記録面が臨む第１片部６箇所に、ＣＤ４の外周方向に間隔をおいて複数の載置部６０４を形成したものである。
前記載置部６０２、６０４は図２２に拡大断面図で示すように、第１片部６の部分を上方に変形させることで簡単に構成できる。
あるいは、不織布等のような薄い部材を第１片部６に貼着することで簡単に構成することができる。
このような載置部６０２、６０４を設けることで、ＣＤ４の記録面が第１片部６に直接触れなくなり、ＣＤ４の耐久性を高める上で有利となる。
【００３１】
次に、本発明の実施例２について説明する。
図２３はディスク収納体を構成する片体の展開図を示す。
実施例２に係るディスク収納体７００は請求項２記載の発明に相当し、実施例２は、実施例１と同様に、上述した第１片部６と、二つの第２片部８とでディスク保持部が形成されたディスク収納体の全てに適用されるもので、その特徴は、簡単な構成によりＣＤ４の記録面の保護を図るようにしたものである。
参考例２に係るディスク収納体２００に本発明を適用した実施例２について説明する。
尚、実施例２に係るディスク収納体７００の片体７１４は、第１中央表紙片１６と第１上表紙片２０からなる前記第１表紙片１０と、第２中央表紙片１８と第２上表紙片２２からなる第２表紙片１２を備えていない。
【００３２】
実施例２に係るディスク収納体７００は、ＣＤ保持部７４６で保持されるＣＤ４の中央の非記録面が臨む第１片部６箇所に、非記録面に対応した円状の載置部７０２を形成するものであり、この点では前記参考例５と同様であるが、この実施例２では、この載置部７０２を一方の第２片部８の先端に予め切り取り線７０４を介して連設しておき、第２片部８の基片３０を第１片部６に貼着する際に、同時に、載置部７０２を第１片部６に貼着し、切り取り線７０４を介して開閉片３４から載置部７０４を切り離すようにしたものである。
また、載置部７０４が設けられていない他方の第２片部８の先端に、載置部７０４のほぼ半部に対応した輪郭の切り欠き７０６を設け、載置部７０４の第１片部への貼着がより簡単になされるように構成されている。
このような実施例２によっても、前記参考例５と同様に、ＣＤ４の耐久性を高める上で有利となる。
【００３３】
次に、参考例６について説明する。
図２４はディスク収納体を構成する片体の展開図を示す。
参考例６に係るディスク収納体８００は参考例２に係るディスク収納体２００に不織布８０２を貼着したもので、簡単な構成によりＣＤ４の記録面の保護を図るようにしたものである。
参考例６に係るディスク収納体８００の片体８１４には、第２片部８の印刷がされる面側で、折れ線２４から載置片２０４の先端を含んだ領域に不織布８０２が貼着されている。
そして、上下の開閉片３４の下側にＣＤ４を位置させ、載置片２０４の上にＣＤ４の外周部が載置されてＣＤ保持部８４６によりＣＤ４が保持される際に、ＣＤ４の記録面が載置片２０４上の不織布８０２に接触することになり、従って、ＣＤ４の耐久性を高める上で有利となる。
尚、不織布８０２の代わりに発泡インキ等を用いて保護層を形成するようにしてもよい。
【００３４】
次に、参考例７について説明する。
図２５はディスク収納体を構成する片体の展開図を示す。
参考例７に係るディスク収納体９００は、実施例１と同様に、上述した第１片部６と、二つの第２片部８とでディスク保持部が形成されたディスク収納体の全てに適用されるもので、その特徴は、本に綴込めるように構成したものである。
参考例２に係るディスク収納体２００に適用した参考例７について説明する。
参考例７に係るディスク収納体７００の片体９１４は、第２中央表紙片１８と第２上表紙片２２からなる第２表紙片１２を備えておらず、代わりに、折れ線９０２を介して綴込み片９０４が連設されている。
すなわち、ＣＤ保持部９４６でＣＤ４が保持され、その上に第１表紙片１０が折られ、その状態で綴込み片９０４が本文頁と共に綴込まれる。
参考例７によれば、従来のプラスチックケースに比べてかさばることがなく、従って、ＣＤ本としてあるいはＦＤ本としてその取り扱いも簡単になされる。
【００３５】
【発明の効果】
以上の説明で明らかなように、本発明によれば、かさばることなく安価にＣＤやＦＤ等のディスクを収納でき、カタログやパンフレット等と共に一体感を持たせてディスクを配布でき、ディスクを本に添付する場合であっても重量増を抑え、大量に扱う場合であっても簡単に取り扱うことができるディスク収納体を提供することが可能となる。
【００３６】
【図面の簡単な説明】
【図１】  参考例１に係るディスク収納体の斜視図である。
【図２】  第１表紙と第２表紙を開いた状態の斜視図である。
【図３】  ディスク収納体を構成する片体の展開図である。
【図４】  第２片部と、第１、第２表紙片を折り畳んだ状態の平面図である。
【図５】  ＣＤが収納され第１、第２表紙片が開かれた状態の平面図である。
【図６】  参考例２に係るディスク収納体を構成する紙片の展開図である。
【図７】  ＣＤが収納され第１、第２表紙片が開かれた状態の平面図である。
【図８】  参考例３に係るディスク収納体の斜視図である。
【図９】  ディスク収納体を構成する片体の展開図である。
【図１０】  第２片部と、第１、第２表紙片を折り畳んだ状態の平面図である。
【図１１】  ＣＤが収納され第１、第２表紙片が開かれた状態の平面図である。
【図１２】  参考例４に係るディスク収納体の斜視図である。
【図１３】  第１表紙と第２表紙を開いた状態の斜視図である。
【図１４】  ディスク収納体を構成する片体の展開図である。
【図１５】  ＣＤが収納され第１、第２表紙片が開かれた状態の平面図である。
【図１６】  第１、第２片部の展開図である。
【図１７】  第１、第２表紙片を構成する片体の展開図である。
【図１８】  実施例１に係るディスク収納体を構成する片体の展開図である。
【図１９】  第１、第２表紙片が開かれ第２片部が閉じられた状態の平面図である。
【図２０】  参考例５に係るディスク収納体を構成する片体の展開図である。
【図２１】  ディスク収納体を構成する片体の展開図である。
【図２２】  載置部の拡大断面図である。
【図２３】  実施例２に係るディスク収納体を構成する片体の展開図である。
【図２４】  参考例６に係るディスク収納体を構成する片体の展開図である。
【図２５】  参考例７に係るディスク収納体を構成する片体の展開図である。
【符号の説明】
２、２００、３００、４００、５００、６００、７００、８００、９００、  ディスク収納体
６  第１片部
８  第２片部
１０  第１片表紙片
１２  第２片表紙片
３０  基片
３４  開閉片
３６  切り欠き
２０２  切れ線
２０４  載置片
３１６，３１８  切り欠き
４０２  切れ線
５０４  取着部
６０２，７０２  載置部
８０２  不織布
９０４  綴込み片
【図１】
0003781135.tif 000002
【図２】
0003781135.tif 000003
【図３】
0003781135.tif 000004
【図４】
0003781135.tif 000005
【図５】
0003781135.tif 000006
【図６】
0003781135.tif 000007
【図７】
0003781135.tif 000008
【図８】
0003781135.tif 000009
【図９】
0003781135.tif 000010
【図１０】
0003781135.tif 000011
【図１１】
0003781135.tif 000012
【図１２】
0003781135.tif 000013
【図１３】
0003781135.tif 000014
【図１４】
0003781135.tif 000015
【図１５】
0003781135.tif 000016
【図１６】
0003781135.tif 000017
【図１７】
0003781135.tif 000018
【図１８】
0003781135.tif 000019
【図１９】
0003781135.tif 000020
【図２０】
0003781135.tif 000021
【図２１】
0003781135.tif 000022
【図２２】
0003781135.tif 000023
【図２３】
0003781135.tif 000024
【図２４】
0003781135.tif 000025
【図２５】
0003781135.tif 000026